(57)【要約】【課題】  客室に持ち込まれたカラオケ活用携帯端末がその客室のカラオケ演奏装置を通信相手としてＬＡＮ通信できるようにする。【解決手段】複数の客室を含むカラオケ集合店舗に装備されるカラオケ集合システムであって、各客室に設置されるカラオケ演奏装置とカラオケ活用携帯端末と充電架台とを含み、カラオケ演奏装置はＬＡＮ通信手段を備え、カラオケ活用携帯端末はＬＡＮ通信手段とカラオケ演奏装置が受信可能な選曲リモコン信号を送信する手段を備え、各客室に設置される充電架台は、自身に装填されているカラオケ活用携帯端末の内蔵電池を充電する手段と当該架台と同室に設置されているカラオケ演奏装置の客室カラオケＩＤを記憶する架台メモリを備え、カラオケ活用携帯端末は、架台メモリから客室カラオケＩＤを読み取って記憶し、その客室カラオケＩＤに基づいてカラオケ演奏装置とＬＡＮを介して通信する。【選択図】  図４
2005266490.tif 000002
【特許請求の範囲】
【請求項１】
次の事項（１）〜（６）により特定されるカラオケ集合システム。
（１）複数のカラオケ演奏装置と、複数のカラオケ活用携帯端末と、複数の充電架台とを備え、複数の客室を含むカラオケ集合店舗に装備されるカラオケ集合システムである。
（２）カラオケ演奏装置は、各客室に設置され、ＬＡＮに接続されて通信するＬＡＮ通信手段を備えている。
（３）カラオケ活用携帯端末は、ＬＡＮに接続可能であるとともに、至近のカラオケ演奏装置が受信可能な選曲リモコン信号を送信するリモコン信号出力手段を備えている。
（４）充電架台は、各客室に設置され、これにカラオケ活用携帯端末が装填された状態において、カラオケ活用携帯端末の内蔵電池を充電する手段と、カラオケ活用携帯端末からアクセス可能な不揮発性の架台メモリを備えている。
（５）架台メモリは、これを内蔵している充電架台と同室に設置されているカラオケ演奏装置を特定する客室カラオケＩＤを記憶している。
（６）カラオケ活用携帯端末は、架台メモリから客室カラオケＩＤを読み取って記憶し、その客室カラオケＩＤに基づいてカラオケ演奏装置とＬＡＮを介して通信するＬＡＮ通信手段を備えている。
【請求項２】
次の特定事項（７）〜（９）を充足する請求項１に記載のカラオケ集合システム。
（７）カラオケ活用携帯端末は、利用者入力による指令に応答し、自身を特定する携帯端末ＩＤを含んだＩＤ告知リモコン信号をリモコン信号出力手段から送信する。
（８）カラオケ演奏装置は、ＩＤ告知リモコン信号を受信し、その携帯端末ＩＤに基づいて該当のカラオケ活用携帯端末とＬＡＮ通信し、自身の客室カラオケＩＤを含んだＩＤ告知メッセージを送信する。
（９）カラオケ活用携帯端末は、ＩＤ告知メッセージを受信し、その客室カラオケＩＤを架台メモリに書き込む。
【請求項３】
充電架台は、ＬＡＮケーブルに接続されているとともに、これにカラオケ活用携帯端末が装填された状態において、カラオケ活用携帯端末のＬＡＮポートをＬＡＮケーブルに接続するコネクタ手段を備える請求項１または２に記載のカラオケ集合システム。
【請求項４】
ユーザインタフェースと、ＬＡＮ通信手段と、リモコン信号出力手段と、充電架台インタフェースと、端末制御手段とを備え、カラオケ集合店舗の各客室に装備されたカラオケ演奏装置とともに使用されるカラオケ活用携帯端末であって、
ユーザインタフェースは、利用者情報を出力するとともに利用者からの入力情報を受け付け、
ＬＡＮ通信手段は、カラオケ集合店舗のＬＡＮに接続し、ＬＡＮを介してカラオケ演奏装置と通信可能とし、
充電架台インタフェースは、客室に装備された充電架台に装填された状態において、充電架台からの給電により内蔵電池を充電するとともに、充電架台に内蔵された不揮発性の架台メモリにアクセス可能とし、
端末制御手段は、架台メモリから客室カラオケＩＤを読み取って記憶し、その客室カラオケＩＤに基づきＬＡＮインタフェースによりカラオケ演奏装置と通信する
カラオケ活用携帯端末。
【請求項５】
端末制御手段は、ユーザインタフェースからの所定の利用者入力に応答し、自身を特定する携帯端末ＩＤを含んだＩＤ告知リモコン信号をリモコン信号出力手段により送信するとともに、カラオケ演奏装置から当該演奏装置の客室カラオケＩＤを含んだＩＤ告知メッセージをＬＡＮインタフェースにより受信し、その客室カラオケＩＤを架台メモリに書き込む請求項４に記載のカラオケ活用携帯端末。
【請求項６】
充電手段と、架台メモリと、端末インタフェースとを備え、カラオケ集合店舗の各客室に装備されてカラオケ演奏装置とともに使用される充電架台であって、
充電手段は、カラオケ演奏装置とともに使用されるカラオケ活用携帯端末が装填された状態で、当該端末の内蔵電池を充電し、
架台メモリは、同じ客室に設置されているカラオケ演奏装置を特定する客室カラオケＩＤを記憶し、
端末インタフェースは、装填されたカラオケ活用携帯端末の充電架台インタフェースと接続する。
充電架台。
【請求項７】
ＬＡＮケーブルと、カラオケ活用携帯端末が装填された状態において、当該端末のＬＡＮポートをＬＡＮケーブルに接続させるコネクタ手段とを備えた請求項６に記載の充電架台。
【請求項８】
ＬＡＮ通信手段と、リモコン信号受信手段と、制御手段を備え、カラオケ集合店舗の各客室に装備されたカラオケ演奏装置であって、
ＬＡＮ通信手段は、カラオケ集合店舗のＬＡＮに接続し、ＬＡＮを介してカラオケ活用携帯端末と通信し、
リモコン信号受信手段は、カラオケ活用携帯端末からのリモコン信号を受信し、
制御手段は、カラオケ活用端末から携帯端末ＩＤを含んだＩＤ告知リモコン信号を受信し、その携帯端末ＩＤに基づいて該当のカラオケ活用携帯端末とＬＡＮ通信し、自身の客室カラオケＩＤを含んだＩＤ告知メッセージを送信する
カラオケ演奏装置。
【発明の詳細な説明】
【技術分野】
【０００１】
この発明は、複数のカラオケ演奏装置と、複数のカラオケ活用携帯端末と、この携帯端末の内蔵電池を充電するための複数の充電架台とを備え、複数の客室を含むカラオケ集合店舗に装備されるカラオケ集合システムに関し、具体的には、各客室に設置されるカラオケ演奏装置と、演奏装置の選曲リモコン装置として機能する携帯端末とがＬＡＮを介して通信するように構成され、カラオケ活用携帯端末を客室に持ち込んだ際、その携帯端末と持ち込み先の客室のカラオケ演奏装置とが互いに通信相手として正しく認識できるようにしたカラオケ集合システムに関する。
【背景技術】
【０００２】
カラオケボックスなど、複数の客室のそれぞれにカラオケ演奏装置が設置される形態のカラオケ集合店舗では、各カラオケ演奏装置がＬＡＮに接続され、店舗内の情報処理システムに組み込まれている。すなわち、各カラオケ演奏装置はＬＡＮ上の１台のコンピュータとして認識される。情報処理システムは、店舗における会計や各客室の入退出管理などの業務を担う管理コンピュータも含んでいるし、インターネットにも接続されている。また、カラオケ事業者が関するＶＰＮを介して通信カラオケシステム用のホストコンピュータなど、カラオケ事業者が管理する店舗外のコンピュータ（事業者コンピュータ）にも接続されている。それによって、各客室にあるカラオケ演奏装置がインターネットやＶＰＮ（Virtual Private Network）に接続して外部のコンピュータと通信できるようになっている。
【０００３】
また、カラオケ演奏装置用の選曲リモコン装置も多機能化が進み、実質的に携帯可能なハンドヘルド型あるいはパームトップ型のコンピュータと同等のハードウエアに、楽曲検索機能やデジタルカメラ機能、ＬＡＮを介してＶＰＮやインターネットを介してデータ通信する機能などを備えた携帯型コンピュータ（カラオケ活用携帯端末）に変容した。
【０００４】
このカラオケ活用携帯端末は、リモコン送信器により出力したリモコン信号を至近のカラオケ演奏装置に送信し、カラオケ演奏装置がこの信号をリモコン信号受信機により受信して曲を演奏予約する。また、客室内のカラオケ活用携帯端末は、ＬＡＮを通じて店舗内のコンピュータと通信したり、インターネットを介した通信を行ったりすることも使用形態の一部となっている。カラオケ集合システムにおけるカラオケ活用携帯端末とその通信相手となる同室のカラオケ演奏装置との連携機能としては、例えば、携帯端末のデジタルカメラ機能を使って撮影した利用者の顔写真をカラオケ装置のディスプレイに表示させたり、カラオケ演奏装置における歌唱採点結果をカラオケ活用携帯端末に転送して携帯端末のディスプレイに表示させたりする機能などがある。なお、通常の利用形態においては、カラオケ演奏装置は、何らかの指示を送付してきたカラオケ活用携帯端末に対して適宜な情報を返送する。すなわち、カラオケ活用携帯端末に特定のカラオケ演奏装置の識別子（ＩＰアドレスなど）を設定しておけば良く、カラオケ演奏装置に対しては、特定のカラオケ活用携帯端末の識別子を設定するなどの通信相手設定作業は必要ない。
【０００５】
なお、以下の特許文献には上述したようなカラオケ集合システムが記載されている。
【特許文献１】特開２００３−２９５８７２号公報
【発明の開示】
【発明が解決しようとする課題】
【０００６】
カラオケ集合システムにおいて、カラオケ活用携帯端末がカラオケ演奏装置とＬＡＮ通信する場面では、携帯端末を客室に持ち込んでその客室内のカラオケ演奏装置とＬＡＮで通信するのが通常の使用形態であり、ある客室内に持ち込まれたカラオケ活用携帯端末と別の客室のカラオケ演奏装置とがＬＡＮ通信するという使用形態はない。そのため、ある客室の携帯端末が故障するなどして代替機をその客室に持ち込めば、その代替機に同じ客室のカラオケ演奏装置を通信相手として設定するための作業が必要となる。
【０００７】
また、大勢のグループが複数の部屋に分かれてカラオケをする場合では、グループのメンバーが客室間を移動し、他の客室から持ち込まれた携帯端末と持ち込み先のカラオケ演奏装置とをＬＡＮ通信させたいことも考えられる。このような場合では、客室を移動する度に通信相手をカラオケ活用携帯端末に設定することになり、現実的にはこのような利用形態を実施することはきわめて難しい。
【０００８】
さらに、カラオケ演奏装置が新設された場合、あるいはカラオケ装置自体の識別子（ＩＰアドレスなど）が動的に変動する可能性がある場合などでは、カラオケ演奏装置自体の識別子を確認した上でカラオケ活用携帯端末に通信相手を設定しなければならず、極めて面倒な設定作業を要する。
【課題を解決するための手段】
【０００９】
上記課題に鑑み本発明を創作した。本発明は、ＬＡＮを介して通信可能な複数のカラオケ演奏装置と複数のカラオケ活用携帯端末とを含んだカラオケ集合システムにおいて、客室に持ち込まれたカラオケ活用携帯端末がその客室のカラオケ演奏装置を通信相手に自動設定できるようにすることを目的としている。
【００１０】
上記目的を達成するための発明は、次の事項（１）〜（６）により特定されるカラオケ集合システムとしている。  
（１）複数のカラオケ演奏装置と、複数のカラオケ活用携帯端末と、複数の充電架台とを備え、複数の客室を含むカラオケ集合店舗に装備されるカラオケ集合システムである。
【００１１】
（２）カラオケ演奏装置は、各客室に設置され、ＬＡＮに接続されて通信するＬＡＮ通信手段を備えている。  
（３）カラオケ活用携帯端末は、ＬＡＮに接続可能であるとともに、至近のカラオケ演奏装置が受信可能な選曲リモコン信号を送信するリモコン信号出力手段を備えている。  
（４）充電架台は、各客室に設置され、これにカラオケ活用携帯端末が装填された状態において、カラオケ活用携帯端末の内蔵電池を充電する手段と、カラオケ活用携帯端末からアクセス可能な不揮発性の架台メモリを備えている。  
（５）架台メモリは、これを内蔵している充電架台と同室に設置されているカラオケ演奏装置を特定する客室カラオケＩＤを記憶している。  
（６）カラオケ活用携帯端末は、架台メモリから客室カラオケＩＤを読み取って記憶し、その客室カラオケＩＤに基づいてカラオケ演奏装置とＬＡＮを介して通信するＬＡＮ通信手段を備えている。
【００１２】
また、上記特定事項（１）〜（６）に加え、次の特定事項（７）〜（９）を充足するカラオケ集合システムも本発明の範囲である。  
（７）カラオケ活用携帯端末は、利用者入力による指令に応答し、自身を特定する携帯端末ＩＤを含んだＩＤ告知リモコン信号をリモコン信号出力手段から送信する。  
（８）カラオケ演奏装置は、ＩＤ告知リモコン信号を受信し、その携帯端末ＩＤに基づいて該当のカラオケ活用携帯端末とＬＡＮ通信し、自身の客室カラオケＩＤを含んだＩＤ告知メッセージを送信する。  
（９）カラオケ活用携帯端末は、ＩＤ告知メッセージを受信し、その客室カラオケＩＤを架台メモリに書き込む。
【００１３】
上記カラオケ集合システムにおいて、充電架台は、ＬＡＮケーブルに接続されているとともに、これにカラオケ活用携帯端末が装填された状態において、カラオケ活用携帯端末のＬＡＮポートをＬＡＮケーブルに接続するコネクタ手段を備えていてもよい。
【００１４】
また本発明には、上記カラオケ集合システムを構成するカラオケ活用携帯端末、充電架台、カラオケ演奏装置も含まれ、カラオケ活用携帯端末は、カラオケ集合店舗の各客室に装備されたカラオケ演奏装置とともに使用され、ユーザインタフェースと、ＬＡＮ通信手段と、リモコン信号出力手段と、充電架台インタフェースと、端末制御手段とを備え、ユーザインタフェースは、利用者情報を出力するとともに利用者からの入力情報を受け付け、ＬＡＮ通信手段は、カラオケ集合店舗のＬＡＮに接続し、ＬＡＮを介してカラオケ演奏装置と通信可能とし、充電架台インタフェースは、客室に装備された充電架台に装填された状態において、充電架台からの給電により内蔵電池を充電するとともに、充電架台に内蔵された不揮発性の架台メモリにアクセス可能とし、端末制御手段は、架台メモリから客室カラオケＩＤを読み取って記憶し、その客室カラオケＩＤに基づきＬＡＮインタフェースによりカラオケ演奏装置と通信することとした。
【００１５】
また、このカラオケ活用携帯端末において、端末制御手段は、ユーザインタフェースからの所定の利用者入力に応答し、自身を特定する携帯端末ＩＤを含んだＩＤ告知リモコン信号をリモコン信号出力手段により送信するとともに、カラオケ演奏装置から当該演奏装置の客室カラオケＩＤを含んだＩＤ告知メッセージをＬＡＮインタフェースにより受信し、その客室カラオケＩＤを架台メモリに書き込むこととしてもよい。
【００１６】
本発明の充電架台は、カラオケ集合店舗の各客室に装備されてカラオケ演奏装置とともに使用され、充電手段と、架台メモリと、端末インタフェースとを備え、充電手段は、カラオケ演奏装置とともに使用されるカラオケ活用携帯端末が装填された状態で、当該端末の内蔵電池を充電し、架台メモリは、同じ客室に設置されているカラオケ演奏装置を特定する客室カラオケＩＤを記憶し、端末インタフェースは、装填されたカラオケ活用携帯端末の充電架台インタフェースと接続するように構成した。
【００１７】
この充電架台は、ＬＡＮケーブルと、カラオケ活用携帯端末が装填された状態において、当該端末のＬＡＮポートをＬＡＮケーブルに接続させるコネクタ手段とを備えていてもよい。
【００１８】
また、本発明のカラオケ演奏装置は、カラオケ集合店舗の各客室に装備され、ＬＡＮ通信手段と、リモコン信号受信手段と、制御手段を備え、ＬＡＮ通信手段は、カラオケ集合店舗のＬＡＮに接続し、ＬＡＮを介してカラオケ活用携帯端末と通信し、リモコン信号受信手段は、カラオケ活用携帯端末からのリモコン信号を受信し、制御手段は、カラオケ活用端末から携帯端末ＩＤを含んだＩＤ告知リモコン信号を受信し、その携帯端末ＩＤに基づいて該当のカラオケ活用携帯端末とＬＡＮ通信し、自身の客室カラオケＩＤを含んだＩＤ告知メッセージを送信することとした。
【発明の効果】
【００１９】
本発明のカラオケ集合システムによれば、ＬＡＮを介して通信可能な複数のカラオケ演奏装置と複数のカラオケ活用携帯端末とを含んだカラオケ集合システムにおいて、複雑な設定操作をすることなく、客室に持ち込まれたカラオケ活用携帯端末に対してその客室のカラオケ演奏装置を正しい通信相手として認識させることができる。
【発明を実施するための最良の形態】
【００２０】
＝＝＝カラオケ集合システム＝＝＝
図１に本発明の実施例におけるカラオケ集合システムを包含するネットワーク構成を示した。インターネット７０ａを利用したＶＰＮ７０ｂにカラオケ事業者の各地のカラオケ店舗１００に敷設されたＬＡＮ１１０やカラオケ事業者が管理する各種コンピュータ（事業者コンピュータ）９０が接続されて広域イントラネットが構築されている。各地のカラオケ店舗１００の各客室１２０にはカラオケ演奏装置（以下、カラオケ装置）１やそれに付帯する機器が設置され、カラオケ装置１はＶＰＮ７０を介して事業者コンピュータ９０と通信したり、インターネット７０ａを介してＷＷＷサーバーなどのコンピュータ２００と通信したりする。
【００２１】
カラオケ装置１には楽曲検索機能を備えたカラオケ活用携帯端末（以下、携帯端末）３０が付帯している。この携帯端末３０が赤外線信号によりカラオケ装置１に演奏予約コマンドを送信する。また、この携帯端末３０は内蔵２次電池により動作し、その２次電池を充電するための充電架台５０が各客室１２０に設置されている。この架台５０はＬＡＮ１１０への接続ケーブルを備えている。そして携帯端末３０がこの架台５０に装填されると、携帯端末３０のＬＡＮポートがこの接続ケーブルに結線されるようになっている。それによって、携帯端末３０がＬＡＮ１１０を介してカラオケ装置１と通信したり、インターネット７０ａやＶＰＮ７０ｂを介して外部のコンピュータ（９０，２００）と通信したりする。
【００２２】
本実施例では、店舗に内に１００ＢＡＳＥ−Ｔ規格のＥｔｈｅｒｎｅｔ（登録商標）によるＬＡＮ１１０が敷設されており、ＬＡＮ１１０上のカラオケ装置１や携帯端末３０はルータ６０を介してインターネット７０ａやＶＰＮ７０ｂに接続する。また、ＬＡＮ１１０上のコンピュータ間の通信にもＴＣＰ／ＩＰが採用されて、ルータ６０は内蔵するＤＨＣＰサーバー機能により、ＬＡＮ１１０に接続されているカラオケ装置１や携帯端末３０にＩＰアドレスを割り当て、これらの装置や端末のＭＡＣアドレスとＩＰアドレスとを対応付けしたテーブルを作成して記憶している。もちろん、カラオケ装置１や携帯端末３０のＩＰアドレスは事前に手動で固定的に設定されていてもよい。
【００２３】
＝＝＝カラオケ楽曲の演奏動作＝＝＝
図２にカラオケ装置１の機能ブロック構成を示した。また、図３（Ａ）（Ｂ）に携帯端末３０単体の外観と充電架台５０に装填された状態の携帯端末３０の外観とを示し、図４に充電架台５０とこれに装填されている携帯端末３０の機能ブロック構成を示した。カラオケ装置１は、周知の通信カラオケシステムの演奏端末とほぼ同様のハードウエア構成となっている。中央制御部１１は、各周辺構成部を制御してカラオケ装置１を統括し、ハードディスク装置１２には多数のカラオケ楽曲について、ＭＩＤＩデータを主体とした伴奏音楽データと、歌詞画像の生成起源となる歌詞描出データとを含むカラオケデータが蓄積されている。また、所定形式の長時間分の動画データと、動画データの処理シーケンス（処理すべき動画データの格納場所と処理順番など）を規定した台本データや、演奏可能なカラオケ楽曲についての曲名やアーティスト名、発表年、歌詞の歌い出し部分などの目次情報も格納されている。そして、中央制御部１１は、各楽曲のカラオケデータ、台本データ、および目次情報を曲番号によって識別し、これをカラオケデータベースとして管理している。
【００２４】
ホスト装置９０ａは、事業者コンピュータであり、カラオケ装置１に向けて新譜楽曲についてのカラオケデータ、台本データ、目次情報などを適時に配信したり、カラオケ装置１にて随時収拾される稼働ログなどを集信したりする。中央制御部１１は、ネットワークインタフェース２３を介して店舗ＬＡＮ１１０およびＶＰＮ７０ｂに接続し、ホスト装置９０ａと通信する。そして、ホスト装置９０ａから送付されたカラオケデータを受け取ってカラオケデータベースの内容を更新したり、カラオケ装置１側にて収集される稼働ログなどの各種情報をホスト装置９０ａに送信したりする。
【００２５】
一方、携帯端末３０は、液晶ディスプレイ（ＬＣＤ）３１とタッチセンサ３２とを積層したタッチパネル３３を主体としたユーザインタフェースを備え、内蔵するフラッシュメモリ３６にはカラオケ装置１に蓄積されているものと同様の目次情報や、タッチパネル３３に表示される各種画像情報などが蓄積されている。リモコン制御部３５は、ＣＰＵ、ＲＡＭ、ＲＯＭ、ビデオＲＡＭなどを含み、タッチパネル３３への入力情報に基づいて各種画像情報や文字情報をビデオＲＡＭにビットマップ展開し、そのビットマップデータに基づいてＬＣＤドライバ３７を駆動してタッチパネル３３に適宜な情報を表示する。また、フラッシュメモリ３６に蓄積されている目次情報を楽曲索引データベースとして管理するためのプログラムを実装している。
【００２６】
リモコン制御部３５は、タッチパネル３３を介した利用者との対話を通じて目次情報の断片をクエリーとして受け付け、該当するカラオケ楽曲の目次情報を楽曲索引データベースより取り出して提示する。そして、携帯端末３０において、最終的にカラオケ楽曲が１曲に特定され、その楽曲を演奏予約する旨の利用者入力がなされると、リモコン制御部３５は、曲番号を含む演奏予約コマンドのコードを生成してこれをＬＥＤドライバ３８に転送する。ＬＥＤドライバ３８は、ＬＥＤ３９を駆動してこのコードを含む赤外線信号を送出させる。
【００２７】
カラオケ装置１の操作制御部１３は、演奏予約コマンドのコードを受光部１５を介して受け取ると、そのコードを中央制御部１１に転送する。中央制御部１１は、そのコマンド中の曲番号を内部のＲＡＭに格納して演奏処理の待ち行列で管理する。そして、待ち行列から曲番号を順次取り出し、該当のカラオケデータをハードディスク装置１２より読み出し、このカラオケデータ中の伴奏音楽データをシンセサイザ１９に転送して伴奏音楽を生成させる。
【００２８】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データを所定の順番で映像制御部１７に順次転送して歌詞画像の背景動画を復号させる。
【００２９】
ミキシングアンプ２０は伴奏音楽と、マイクロホン２２に入力された歌声音声とを混合・増幅してスピーカ２１より音響出力する。映像制御部１７は、復号した動画映像に歌詞画像をスーパーインポーズ処理してディスプレイ１８に表示出力する。
【００３０】
＝＝＝携帯端末におけるＬＡＮ通信＝＝＝
充電架台５０は、携帯端末３０が装填された状態で携帯端末３０側のコネクタ４４と結合するコネクタ（架台側コネクタ）５５を備えている。携帯端末３０が充電架台５０に装填され、双方のコネクタ（４４，５５）が結合すると、携帯端末３０の電源制御部４２と充電架台５０の電源回路５１より供給される電源により携帯端末３０の内蔵２次電池４３が充電される。
【００３１】
また、充電架台５０は１００ＢＡＳＥ／Ｔ規格のＬＡＮコネクタ５３を備え、このコネクタ５３が架台側コネクタ５５の所定の端子に直結している。また、携帯端末３０の通信インタフェース（ＩＦ）４１は、端末側コネクタ４４の所定の端子をＬＡＮポートとして、双方のコネクタ（４４，５５）が結合されると、このＬＡＮポートと架台５０のＬＡＮコネクタ５３とが直結される。したがって、ＬＡＮ１１０に接続されているＬＡＮケーブルを架台５０のＬＡＮコネクタ５３につなげば、リモコン制御部３５は、通信ＩＦ４１を介してＬＡＮに通信可能に接続する。
【００３２】
＝＝＝携帯端末におけるカラオケ装置のＩＰアドレス取得＝＝＝＝＝＝
上述したように、本実施例のカラオケ集合システムでは、携帯端末３０がＬＡＮ１１０を介して同室のカラオケ装置１と通信する際には、その客室１２０にある充電架台５０に装填すればよい。さらに、携帯端末３０が故障して代替機に交換したり、他の客室１２０から携帯端末３０を持ち込んだりして、携帯端末３０に通信相手となるカラオケ装置１を設定させる際にも、この充電架台５０に装填するだけでよい。
【００３３】
充電架台５０は、不揮発性のメモリ５２を内蔵し、このメモリ（以下、架台メモリ）５２に同室のカラオケ装置１のＩＰアドレスが記録されている。そして、携帯端末３０のメモリＩＦ４０と架台メモリ５２とがコネクタ（４４，５５）の所定の端子群により接続されるようになっており、携帯端末３０が充電架台５０に装填されると、リモコン制御部３５は、メモリＩＦ４０を介して架台メモリ５２にアクセス可能となる。
【００３４】
客室１２０内に持ち込んだ携帯端末３０を充電電架台５０に装填すると、リモコン制御部３５は、メモリＩＦ４０を介して架台メモリ５２にアクセスし、そこに記録されているカラオケ装置１のＩＰアドレスを読み出してフラッシュメモリ３６に書き込み、このＩＰアドレスを通信相手として設定する。以後、携帯端末３０がカラオケ装置１に向けた情報をＬＡＮ１１０上に送出する際には、全てこのＩＰアドレスに宛てて送出する。カラオケ装置１は自分宛の情報を処理し、その情報に対する返答情報がある場合には送信元のＩＰアドレスに宛ててその返答情報をＬＡＮ上に送出すればよい。
【００３５】
＝＝＝携帯端末におけるカラオケ装置のＩＰアドレス登録＝＝＝
例えば、客室１２０を増やして新規のカラオケ装置１を導入した場合、あるいはカラオケ装置１を再起動するなどして、ＤＨＣＰサーバーがそのカラオケ装置１に付与するＩＰアドレスを以前のものと変更してしまった場合、その新規のカラオケ装置１のＩＰアドレス、あるいは変更後のＩＰアドレスを同じ客室１２０に設置される充電架台５０の架台メモリ５２に初期登録、あるいは再登録する必要がある。本実施例では、極めて単純な作業で、架台メモリ５２にＩＰアドレスを登録することができる。なおカラオケ装置１は、ＬＡＮ１１０に接続した時点でＤＨＣＰサーバーによりＩＰアドレスが付与され、カラオケ装置１はそれを自身のハードディスク装置１２に記憶している。携帯端末３０にも事前にＩＰアドレスが付与され、そのＩＰアドレスがフラッシュメモリ３６に記憶されているものとする。なお、ＩＰアドレスが付与されていない新規の携帯端末３０をカラオケ集合システムに追加するのであれば、その携帯端末３０を充電架台５０に装填してＬＡＮ１１０に接続させれば、ＤＨＣＰサーバーにより新規のＩＰアドレスがその携帯端末３０に付与される。
【００３６】
架台メモリ５２にＩＰアドレスを登録するためには、まず、携帯端末３０を操作し、この端末３０のＩＰアドレスを赤外線リモコン信号に含めて送信させる。なお、この操作手順を、携帯端末の通常の操作とは異なる保守要員のみが認知している手順（例えば、所定の２つのボタンを同時に指示するなど）とすれば客が誤ってこの操作を行うことはない。リモコン制御部３５は、この所定の操作入力があると、フラッシュメモリ３６に記録されている自身のＩＰアドレスを読み出し、そのＩＰアドレスのコードをＬＥＤドライバ３８に転送し、ＩＰアドレスのコードを含んだ赤外線信号をＬＥＤ３９より発信させる。
【００３７】
携帯端末３０が自身のＩＰアドレスを含んだリモコン信号を送信したとき、至近にカラオケ装置１があると、このカラオケ装置１の中央制御部１１は、このリモコン信号に含まれるＩＰアドレスのコードを操作制御部１３を介して取得する。携帯端末３０のＩＰアドレスを取得すると、自身のＩＰアドレス（自己アドレス）をハードディスク装置１２から読み出し、その自己アドレスを含んだ情報を取得したＩＰアドレスに宛ててＬＡＮ上に送出させる。
【００３８】
このとき、携帯端末３０は、充電架台５０に装填されていれば、携帯端末３０にはカラオケ装置１のＩＰアドレスを含んだ情報が自身宛に届く。リモコン制御部３５は、カラオケ装置１のＩＰアドレスを受信したならば、そのアドレスを自身のフラッシュメモリ３６に書き込むとともに、装填している充電架台５０の架台メモリ５２にもそれを書き込む。
【００３９】
以後、携帯端末３０を交換したり、他の客室から持ち込んだりした場合には、この架台５０に客室に持ち込んだ携帯端末３０を装填すれば、同じ客室にあるカラオケ装置１が通信相手として設定される。なお、リモコン制御部３５が自身のＩＰアドレスを送信したことを認知した際、自身を充電架台５０に装填するように案内する画面をタッチパネル３３に表示させるようにすれば、携帯端末３０を充電架台５０に装填するのを忘れて、カラオケ装置１のＩＰアドレスを受信し損なう可能性が少なくなる。もちろん、携帯端末３０がカラオケ装置１のＩＰアドレスを受信した旨を該当のカラオケ装置１に返答し、カラオケ装置１がその返答を受信するまで自身のＩＰアドレスをリモコン信号により受信したＩＰアドレスに宛ててＬＡＮ上に送出し続けるようにしてもよい。
【００４０】
＝＝＝ＩＰアドレスについて＝＝＝
上記実施例では、カラオケ装置のＩＰアドレスは、ＤＨＣＰサーバーよって自動的に割り当てられている。すなわち、各客室のカラオケ装置のＩＰアドレスは恒久的に固定されているわけではない。カラオケ装置を再起動すればそのカラオケ装置のＩＰアドレスが変わる可能性もある。このような場合でも、上記実施例に示した手順により更新後のカラオケ装置のＩＰアドレスを架台メモリに再登録することができる。
【００４１】
しかし上記手順では、ＩＰアドレスが変更されたり、その可能性が認知されたりしたとき、その都度、携帯端末を操作してその端末のＩＰアドレスを至近のカラオケ装置にリモコン信号によって告知する必要があった。そこで、架台メモリにカラオケ装置のＭＡＣアドレスとＩＰアドレスを対にして記憶させておき、携帯端末が充電架台に装填されたとき、ＤＨＣＰサーバーに、周知のＲＡＲＰ（Reverse Address Resolution Protocol）などによって、ＭＡＣアドレスに対応するＩＰアドレスを問い合わせ、その問いに対して返答されたＩＰアドレスが架台メモリに記録されているものと異なっていれば、架台メモリのＩＰアドレス部分のみを更新すればよい。それによって、リモコン信号によって形態端末のＩＰアドレスを至近のカラオケ装置に告知する操作を省略することができる。カラオケ装置がリモコン信号により携帯端末のＩＰアドレスを受信した際には、自身のＩＰアドレスに加え、自身のＭＡＣアドレスも受信したＩＰアドレスに宛ててＬＡＮ上に送出すればよい。そして携帯端末は、受信したカラオケ装置のＩＰアドレスとＭＡＣアドレスを架台メモリに書き込めばよい。
【００４２】
＝＝＝携帯端末のＬＡＮ接続形態＝＝＝
上記実施例では、携帯端末は１００ＢＡＳＥ／Ｔ規格のＬＡＮコネクタがなく、単体でＬＡＮに接続することができなかった。もちろん、１００ＢＡＳＥ／Ｔ規格のコネクタを備えて単体でＬＡＮに接続できる形態であってもよいし、無線でＬＡＮに接続する形態であってもよい。いずれにしても、客室に持ち込まれた携帯端末は、至近のカラオケ装置のＩＰアドレスがわからなければ他の客室のカラオケ装置に全く関係のない情報を送付してしまう可能性がある。
【００４３】
しかし本発明では、充電池で動作する携帯端末が充電架台に適時に装填される必要性があり、充電架台が客室に常設されていることに着目し、その架台に携帯端末によってのみ読み書き可能な不揮発性のメモリを充電架台に内蔵させている。それによって、携帯端末のＬＡＮ接続形態がどのようなものであっても、携帯端末が通信相手となるカラオケ装置のＩＰアドレスをそのカラオケ装置のある客室でのみ取得することができ、誤って他のカラオケ装置のＩＰアドレスを通信相手として設定しまうことがない。
【図面の簡単な説明】
【００４４】
【図１】本発明の実施例におけるカラオケ集合システムを含むネットワーク構成図である。
【図２】上記カラオケ集合システムを構成するカラオケ演奏装置の機能ブロック図である。
【図３】上記カラオケ集合システムを構成するカラオケ活用携帯端末とこの端末用の充電架台の外観図であり、（Ａ）は携帯端末単体の外観図であり、（Ｂ）は携帯端末が充電架台に装填されている状態の外観図である。
【図４】上記携帯端末と充電架台の機能ブロック図である。
【符号の説明】
【００４５】
１  カラオケ演奏装置
１１  中央制御部
１２  ハードディスク装置
１３  操作制御部
１５  受光部
２３  ネットワークインタフェース
３０  カラオケ活用携帯端末
３３  タッチパネル
３５  リモコン制御部
３６  フラッシュメモリ
４０  メモリインタフェース
４１  通信インタフェース
４４  携帯端末側コネクタ
５０  充電架台
５２  架台メモリ
５４  ＬＡＮケーブル
【図１】
2005266490.tif 000003
【図２】
2005266490.tif 000004
【図３】
2005266490.tif 000005
【図４】
2005266490.tif 000006